(57)【要約】      （修正有）【課題】必要に応じてあらゆる方向の日差しによる顔や首などの日焼けを防止する日除けカバーを提供する。【解決手段】着脱容易な第１の定着具を両側縁に設けた日差しを遮る日除けカバー本体を備え、着脱容易な第２の定着具を両側縁に設けた伸縮着脱ベルトを日除けカバー本体上両端部に連結し、この連結部以外の非連結部と伸縮着脱ベルトで囲まれた空間に開口部を設け、上記日除けカバー本体下部の複数箇所にスリットを設ける。【選択図】図１
0003175601.tif 000002
【実用新案登録請求の範囲】
【請求項１】
着脱容易な第１の定着具を両側縁に設けた日差しを遮る日除けカバー本体を備え、着脱容易な第２の定着具を両側縁に設けた伸縮着脱ベルトを日除けカバー本体上両端部に連結し、この連結部以外の非連結部と伸縮着脱ベルトで囲まれた空間に開口部を設け、上記日除けカバー本体下部の複数箇所にスリットを設けたことを特徴とする日除けカバー。
【請求項２】
日除けカバー本体上中央部に、呼吸口を設けたことを特徴とする請求項１記載の日除けカバー。
【請求項３】
上記スリットは、日除けカバー本体の底辺から全体の３分の１より少ない長さで、下開き状のスリットを設けたことを特徴とする請求項１、又は請求項２のいずれかに記載の日除けカバー。
【請求項４】
日除けカバー本体両側縁の上半分側は、伸縮着脱ベルトとの連結部から下に向けて緩やかな波形状の曲線を有することを特徴とする請求項１、請求項２、又は請求項３のいずれかに記載の日除けカバー。
【請求項５】
日除けカバー本体上部の複数箇所にタックを設け、さらに、日除けカバー本体上部の非連結部に弾性紐によるギャザーを寄せて、日除けカバー本体上中央部の呼吸口周りを立体的に膨らませていることを特徴とする請求項１〜請求項４のいずれかに記載の日除けカバー。
【考案の詳細な説明】
【技術分野】
【０００１】
本考案は、特に野外での作業、スポーツ観戦、レジャー、車の運転時に用いられ、顔、首、肩周り、胸部、背部の日焼け防止に有用な着脱容易な日除けカバーに関するものである。
【背景技術】
【０００２】
従来より、野外での作業、スポーツ観戦、レジャー、車の運転時などの日焼け防止として帽子が着用され、これらの帽子に日除けカバーを垂下させ、顔や首を日焼け防止することが一般的に行われている。
【先行技術文献】
【特許文献】
【０００３】
【特許文献１】実用新案登録第3170646号(Ｕ3170646)
【特許文献２】実用新案登録第3137866号(Ｕ3137866)
【特許文献３】特開2010-90520(Ｐ2010-90520Ａ)公報
【考案の概要】
【考案が解決しようとする課題】
【０００４】
特許文献１に開示された日除け付き帽子によれば、顔や首周りの日焼けはある程度防ぐことができる。しかしながら、目の下から首までの日焼けを防止するには不十分であり、日除けカバーが帽子と一体となっているため、日差しの方向にあわせた日除けカバーの位置調整ができず、日焼け防止が不十分であることが考えられる。また、例えば、車の運転時などは、日除け付き帽子のツバで視野を妨げることが考えられる。さらに、日除けと帽子が一体となっているため、帽子のデザインが選択できず、ファッション性に欠け、汚れた時の洗濯も容易でなく、コンパクトに持ち運ぶことができないことや、帽子を着用することでの髪型の崩れなどの問題がある。
【０００５】
特許文献２に開示された日除けマスクによれば、目の下から首までの日焼けは防ぐことができる。しかしながら、背面側からの日差しによる日焼け防止はできない。また、通気性の良い素材を利用するだけでは通気が不十分であることが考えられ、長時間使用での息苦しさ,蒸れ,暑苦しさが考えられる。また、開口部のギャザーだけでは、日除けマスクが顔に触れやすいことが考えられ、化粧時の装着には化粧崩れなどの問題がある。
【０００６】
特許文献３に開示されたクリップ付き日除けは、ひさしの有る帽子に装着して、首の側面と背面の日焼けを防止できる。しかしながら、ひさしの有る帽子以外の各種帽子や頭に装着して、顔、首、肩周りの日焼けを防ぐには不十分であるなどの問題がある。
【０００７】
本考案は、以上のような問題点を解決するためになされたものであって、各種帽子に装着したり、頭に直接装着し、必要に応じてあらゆる方向の日差しから顔、首、肩周り、胸部、背部の日焼け防止ができる。しかも、肌に密着せず、通気性に優れ、車の運転時等でも視野を妨げることなく日焼け防止ができ、さらに、汚れた時の洗濯も容易で、収納もコンパクトでデザイン性のある日除けカバーを提供することを目的としている。
【課題を解決するための手段】
【０００８】
上記課題を解決するために、請求項１の考案は、着脱容易な第１の定着具を両側縁に設けた日差しを遮る日除けカバー本体を備え、着脱容易な第２の定着具を両側縁に設けた伸縮着脱ベルトを日除けカバー本体上両端部に連結し、この連結部以外の非連結部と伸縮着脱ベルトで囲まれた空間に開口部を設け、上記日除けカバー本体下部の複数箇所にスリットを設けた。
【０００９】
請求項２の場合には、日除けカバー本体上中央部に、呼吸口を設けた。
【００１０】
請求項３の場合には、上記スリットを、日除けカバー本体の底辺から全体の３分の１より少ない長さで、下開き状のスリットを設けた。
【００１１】
請求項４の場合には、日除けカバー本体両側縁の上半分側は、伸縮着脱ベルトとの連結部から下に向けて緩やかな波形状の曲線を有する。
【００１２】
請求項５の場合には、日除けカバー本体上部の複数箇所にタックを設け、さらに、日除けカバー本体上部の非連結部に弾性紐によるギャザーを寄せて、日除けカバー本体上中央部の呼吸口周りを立体的に膨らませた。
【考案の効果】
【００１３】
本考案の日除けカバーによれば、伸縮着脱ベルトで各種帽子や、直接、頭や首に装着し垂下して、必要に応じてあらゆる方向の日差しから顔、首、肩周り、胸部、背部の日焼け防止ができるのは勿論のこと、開口部を設けたことで、各種帽子に日除けカバーを装着した時、この開口部の開きがゆとりとなり、各種帽子に馴染んで装着できる。また、日除けカバー本体を顔に垂下させ、開口部から目を出すことで、目の下から首、肩周りまでの日焼け防止ができる。
【００１４】
日除けカバー本体の底辺から全体の３分の１より少ない長さの下開き状のスリットを設けたことで、日除けカバー本体下部が扇状に広がり、日除けカバー装着時のツッパリ感を防ぐことができる。又特に、このスリットが扇状に広がることで、背部、胸部の日除けカバーとしても使用できる。
【００１５】
日除けカバー本体中央部に呼吸口を設けたことで、通気がよくなり、日除けカバー本体を顔に垂下しても、息苦しさ、蒸れ、暑苦しさを防ぐことができる。
【００１６】
日除けカバー本体両側縁の上半分側が、伸縮着脱ベルトとの連結部から下に向けて緩やかな波形状の曲線を有することで、日除けカバー本体を顔に垂下させた時、初めの凹曲線で視野を確保し、次の凸曲線で一番日焼けしやすい頬を日焼け防止し、その次の凹曲線で鼻呼吸を確保でき、鼻の下から肩周りまでは、日除けカバー本体両側面で日焼け防止ができる。このため、車の運転時等に日除けカバーを装着しても、視野と呼吸を確保しながら日焼け防止ができる。
【００１７】
日除けカバー本体上部の複数箇所のタックと、日除けカバー本体上部の非連結部に弾性紐によるギャザーを寄せることで、呼吸口周りが立体的に膨み、日除けカバー本体の顔への密着を防ぐため、通気がよく、また、化粧時の化粧崩れ等を防ぐことができる。
【００１８】
日除けカバーが帽子と一体ではないことで、コンパクトに収納しての持ち運びや洗濯が容易であり、日除けカバーの色や柄を選択して洋服とのコ−ディネイトができる。また、帽子を着用せずに日焼け防止ができるため、帽子による髪型の崩れを気にすることなく日除けカバーを装着できる。
【図面の簡単な説明】
【００１９】
【図１】本考案の実施形態の日除けカバーを示す表平面展開図である。
【図２】本考案の実施形態の日除けカバーを示す裏平面展開図である
【図３】本考案の実施形態の日除けカバーを帽子に装着した正面図である。
【図４】（a）〜(d)は、本考案の実施形態の日除けカバーを帽子に装着した装着方法に関する説明図である。
【図５】本考案の実施形態の日除けカバーを頭に装着した正面図である。
【図６】(a)〜(c)は、本考案の実施形態の日除けカバーを頭に装着し、さらに帽子を着用した時の装着方法に関する説明図で、(ｄ)は、帽子を着用しないで、本考案の日除けカバーを頭に装着した説明図である。
【図７】本考案の実施形態の日除けカバーを頭に装着した正面図である。
【図８】(a)〜(c)は、本考案の実施形態の日除けカバーを頭に装着し、さらに帽子を着用した時の装着方法に関する説明図である。
【図９】(a)、(b)は、本考案の実施形態の日除けカバーを首に装着し、日除けカバー本体を背部に垂下した正面図と背面図である。
【図１０】(a)、(b)は、本考案の実施形態の日除けカバーを首に装着し、日除けカバー本体を胸部に垂下した正面図と背面図である。
【考案を実施するための形態】
【００２０】
本考案の一実施例の形態を添付図面を用いて説明する。
図１に示すように、１は日除けカバーで、日除けカバー本体１１と伸縮着脱ベルト２１から構成されており、日除けカバー本体上両端部に伸縮着脱ベルト２１が連結され、この連結部以外の非連結部と伸縮着脱ベルト２１に囲まれた空間で日除けカバー開口部１７が設けてある。
【００２１】
日除けカバー本体上中央部には、呼吸口１３が設けてあり、さらに、日除けカバー本体上部の複数箇所のタック１４と、日除けカバー本体上部の非連結部に弾性紐によるギャザー１５を寄せることで、呼吸口１３周りは立体的に膨らんでいる。上記弾性紐には、例えば、ゴム紐が使用されるが、これ以外の弾性を有する紐であればどのようなものでもよい。
【００２２】
日除けカバー本体両側縁の上半分側は、伸縮着脱ベルト２１との連結部から下に向けて緩やかな波形状の曲線を有している。
【００２３】
日除けカバー本体下部の例えば肩にあたる部分には、複数箇所のスリット１２が形成されている。このスリット１２は、日除けカバー本体１１の底辺から全体の３分の１より少ない長さで、下開き状のスリットである。スリットが全体の３分の１より長いと日焼け防止にならない不都合がある。
【００２４】
日除けカバー本体両側縁下部には第１の定着具１６が設けてあり、また、伸縮着脱ベルト両側縁には、第２の定着具２２が設けてある。上記日除けカバー本体両側縁下部とは、緩やかな波形状の曲線を有する日除けカバー本体両側縁の上半分側から繋がる日除けカバー本体両側縁の下半分側のことで、以下、日除けカバー本体両側縁下部という。定着具１６，２２には、例えば、面ファスナーが使用されるが、これ以外のボタン等の定着具であればどのようなものでもよい。
【００２５】
このように構成された、本考案の日除けカバー１は次のように使用される。
図３で示すように、各種帽子３０の前中央部で伸縮着脱ベルト両側縁の第２の定着具２２を定着し、各種帽子３０に日除けカバー本体１１を垂下させることで、顔の両側面、頬から首、肩周りの日焼け防止ができる。また、日除けカバー本体両側縁の上半分側が、伸縮着脱ベルトとの連結部から下に向けて緩やかな波形状の曲線を有しているため、日除けカバーを顔に垂下させた時、初めの凹曲線で視野を確保し、次の凸曲線で一番日焼しやすい頬を日焼け防止し、その次の凹曲線で鼻呼吸を確保でき、鼻の下から肩周りまでは、日除けカバー本体両側面で日焼け防止ができる。上記日除けカバー本体両側面とは、日除けカバー本体両側縁下部から日除けカバー本体中央までの約２０ｃｍの面を、日除けカバー本体両側面という。
【００２６】
図３、図４(a)〜(c)で示すように、日除けカバー本体両側縁下部に設けてある第１の定着具１６により日除けカバー本体両側面の開閉の調整が容易なため、日除けカバー本体両側面で必要に応じた日焼け防止ができる。
【００２７】
さらに詳細に説明すると、図３で示すように、顔の前面で日除けカバー本体両側縁下部の第１の定着具１６の全面を定着して、日除けカバー本体両側面を連結することで、顔の両側面、頬から首、肩周りの日焼け防止ができる。図４(a)で示すように、日除けカバー本体両側縁下部の第１の定着具１６の一部を定着して、日除けカバー本体両側面の一部を開放することで、通気を良くし、暑さや蒸れを防ぎながら顔の両側面、顔前面の一部から首、肩周りの日焼け防止ができる。また、図４(b)で示すように、日除けカバー両側縁下部の第１の定着具１６を定着せず、日除けカバー本体両側面の全面を開放することで、顔前面を出しながら、顔の両側面、首背面、肩周りの日焼け防止ができる。そしてまた、図４(ｃ)で示すように、日除けカバー本体両側面を使用しない時は、日除けカバー本体両側面を後頭部に折り返し、後頭部で日除けカバー本体両側縁下部の第１の定着具１６を定着することで、日除けカバー本体両側面を後頭部で一時的に収納することができる。
【００２８】
図３、図４(d)で示すように、日除けカバー１を装着時、日除けカバー本体下部の複数箇所のスリット１２が開き、日除けカバー本体１１下部が扇状に広がることで、日除けカバー１装着時の肩周りのツッパリ感を防ぐことができる。
【００２９】
図４（ｃ）、(ｄ)で示すように、日除けカバー本体１１を各種帽子３０に垂下にした時、日除けカバー開口部１７が各種帽子３０の後頭部で開き、この開きがゆとりとなり、日除けカバー本体１１が各種帽子３０に馴染み、日除けカバー１装着時のツッパリ感を防ぐことができる。
【００３０】
図５で示すように、前頭中央部で伸縮着脱ベルト両側縁の第２の定着具２２を定着し、顔と後頭部に日除けカバー本体１１を垂下させることで、顔の両側面、頬から首、肩周りの日焼け防止ができる。日除けカバー本体両側縁の上半分側が、伸縮着脱ベルトとの連結部から下に向けて緩やかな波形状の曲線を有していることで、日除けカバーを顔に垂下させた時、初めの凹曲線で視野を確保し、次の凸曲線で一番日焼しやすい頬を日焼け防止し、その次の凹曲線で鼻呼吸を確保でき、鼻の下から肩周りまでは、日除けカバー本体両側面で日焼け防止ができる。さらに、日除けカバー本体両側面が顔に軽くフィットするため、車の運転時等に日除けカバー１を装着しても、視野を妨げずに日焼け防止ができる。
【００３１】
図６(a)〜(ｃ)で示すように、先ず、前頭中央部で伸縮着脱ベルト両側縁の第２の定着具２２を定着し、顔と後頭部に日除けカバー本体１１を垂下して、各種帽子３０を着用することで、さらに日焼け防止ができる。
【００３２】
図５、図６(a)〜(ｃ)で示すように、日除けカバー本体両側縁下部に設けてある第１の定着具１６により日除けカバー本体両側面の開閉の調整が容易なため、日除けカバー本体両側面で必要に応じた日焼け防止ができる。
【００３３】
さらに詳細に説明すると、図５で示すように、顔の前面で日除けカバー本体両側縁下部の第１の定着具１６の全面を定着して、日除けカバー本体両側面を連結することで、顔の両側面、頬から首、肩周りの日焼け防止ができ、図６(a)で示すように、日除けカバー本体両側縁下部の第１の定着具１６の一部を定着して、日除けカバー本体両側面の一部を開放することで、通気を良くし、暑さや蒸れを防ぎながら顔の両側面、顔前面の一部から首、肩周りの日焼け防止ができ、また、図６(b)で示すように、日除けカバー本体両側縁下部の第１の定着具１６を定着せず、日除けカバー本体両側面の全面を開放することで、顔前面を出しながら、顔の両側面、首背面、肩周りの日焼け防止ができる。そしてまた、図６(c)で示すように、日除けカバー本体両側面を使用しない時は、日除けカバー本体両側面を後頭部に折り返し、後頭部で日除けカバー本体両側縁下部の第１の定着具１６を定着することで、日除けカバー本体両側面を後頭部で一時的に収納することができる。
【００３４】
図５、図６(ｄ)で示すように、日除けカバー１を装着時、日除けカバー本体下部の複数箇所のスリット１２が開き、日除けカバー本体１１下部が扇状に広がることで、日除けカバー１装着時の肩周りのツッパリ感を防ぐことができる。
【００３５】
図６(ｄ)で示すように、日除けカバー本体１１を頭に垂下にした時、日除けカバー開口部１７が後頭部で開き、この開きがゆとりとなり、日除けカバー本体１１が頭に馴染み、日除けカバー１装着時のツッパリ感を防ぐことができる。
【００３６】
図７で示すように、後頭中央部で伸縮着脱ベルト両側縁の第２の定着具２２を定着し、顔の前面に日除けカバー本体１１を垂下させ、日除けカバー本体上部のギャザー１５部を目の下に下げ、日除けカバー開口部１７から目を出すことで、目の下から首、肩周りまでの日焼け防止ができる。また、呼吸口１３を設けてあるため、日除けカバー本体１１に通気性がある素材を利用するよりも通気がよく、さらに、日除けカバー本体上部にある複数箇所のタック１４と、日除けカバー本体と伸縮着脱ベルトとの非連結部の弾性紐によるギャザー１５を寄せてあるため、日除けカバー本体中央部の呼吸口１３周りが立体的に膨み、日除けカバー本体が顔へ密着せず、通気もよくなり、息苦しさ、蒸れ、暑苦しさ、化粧崩れ等を防ぐことができる。
【００３７】
図８(a)〜(ｃ)で示すように、先ず、後頭中央部で伸縮着脱ベルト両側縁の第２の定着具２２を定着し、顔の前面に日除けカバー本体１１を垂下して、各種帽子３０を装着することで、さらに日焼け防止ができる。
【００３８】
図８(ｂ)、(ｃ)で示すように、日除けカバー本体両側縁下部に設けてある第１の定着具１６により日除けカバー本体両側面の開閉の調整が容易なため、日除けカバー本体両側面で必要に応じた日焼け防止ができる。
【００３９】
さらに詳細に説明すると、図８(ｂ)で示すように、首背面で日除けカバー本体両側縁下部の第１の定着具１６の全面を定着して、日除けカバー本体両側面を連結することで、顔、首、肩周りの日焼け防止ができ、図８(ｃ)で示すように、日除けカバー本体両側縁下部の第１の定着具１６を定着せず、日除けカバー本体両側面を開放することで、首背面を出し、通気をよくしながら、顔、首前面,肩周りの日焼け防止ができる。
【００４０】
図７、図８（ａ）、(ｂ)で示すように、日除けカバー１を装着時、日除けカバー本体下部の複数箇所のスリット１２が開き、日除けカバー本体１１下部が扇状に広がることで、日除けカバー１装着時の肩周りのツッパリ感を防ぐことができる。
【００４１】
図９(a)、(b)に示すように、首正面中央部で伸縮着脱ベルト両側縁の第２の定着具２２を定着し、日除けカバー本体１１を背部に垂下することで、背部、肩周りの日焼け防止ができる。また、図９(ｂ)で示すように、日除けカバー１装着時、日除けカバー本体下部の複数箇所のスリット１２が開き、日除けカバー本体１１下部が扇状に広がることで、日除けカバー１装着時の背部周りのツッパリ感を防ぐことができる。上記背部は、背面側の肩から腰上約１５ｃｍをいう。
【００４２】
図１０(a)、(b)に示すように、首背面中央部で伸縮着脱ベルト両側縁の第２の定着具２２を定着し、日除けカバー本体１１を胸部に垂下することで、胸部、肩周りの日焼け防止ができる。また、図１０(a)で示すように、日除けカバー１装着時、日除けカバー本体下部の複数箇所のスリット１２が開き、日除けカバー本体１１下部が扇状に広がることで、日除けカバー１装着時の胸部周りのツッパリ感を防ぐことができる。上記胸部は、正面首の付け根から腰上約10ｃｍをいう。
【００４３】
図面においては、タックの数は２つ、スリットの数は６つの場合で説明しているが、その数は、上記実施例の構成に限定されるものではなく、自由に適宜改変するのは可能である。
【産業上の利用可能性】
【００４４】
本日除けカバーは、日除け防止のみならず、ごみ集積場での作業者、工場内の煤塵環境での作業者、放射線除染作業者などに着用することもできる。
【符号の説明】
【００４５】
１    日除けカバー
１１  日除けカバー本体
１２  スリット
１３  呼吸口
１４  タック
１５  ギャザー
１６  第２の定着具
１７  日除けカバー開口部
２１  伸縮着脱ベルト
２２  第１の定着具
３０  各種帽子
【図１】
0003175601.tif 000003
【図２】
0003175601.tif 000004
【図３】
0003175601.tif 000005
【図４】
0003175601.tif 000006
【図５】
0003175601.tif 000007
【図６】
0003175601.tif 000008
【図７】
0003175601.tif 000009
【図８】
0003175601.tif 000010
【図９】
0003175601.tif 000011
【図１０】
0003175601.tif 000012